(57)【要約】【課題】組み立て時の配線コードの挟み込みを防止することのできる画像形成装置を提供する。【解決手段】内部に第１の原稿読取部を備えた装置本体２と、装置本体２の原稿載置面３に対して開閉自在に設けられた原稿給送装置４０と、装置本体２と原稿給送装置４０とを電気的に接続する配線コードＣと、を有する複写機１であって、配線コードＣの周りを囲う四囲部５３を備え、配線コードＣと共に装置本体２に対して着脱自在に装着される配線カバー５０を有する、という構成を採用する。【選択図】図３
2014194485.tif 000002
【特許請求の範囲】
【請求項１】
内部に原稿読取部を備えた装置本体と、前記装置本体の原稿載置面に対して開閉自在に設けられた原稿給送装置と、前記装置本体と前記原稿給送装置とを電気的に接続する配線コードと、を有する画像形成装置であって、
前記配線コードの周りを囲う四囲部を備え、前記配線コードと共に前記装置本体に対して着脱自在に装着される配線カバーを有する、ことを特徴とする画像形成装置。
【請求項２】
前記原稿給送装置は、原稿の一方の面を読み取る第２の原稿読取部を有しており、
前記配線コードは、前記第２の原稿読取部で読み取った画像信号を伝送する第１の配線コードと、それ以外の第２の配線コードと、を含み、
前記配線カバーは、前記四囲部において前記第１の配線コードと前記第２配線コードとを分離するリブを有する、ことを特徴とする請求項１に記載の画像形成装置。
【請求項３】
前記配線カバーは、
前記四囲部と、前記装置本体にスライドして係合するスライド部と、を備える第１のカバー部材と、
前記第１のカバー部材に係合し、その背後に対して開閉自在とさせる係合軸部と、前記装置本体に対し締結部材で固定される固定部と、を備える第２のカバー部材と、を有する、ことを特徴とする請求項１または２に記載の画像形成装置。
【請求項４】
前記配線カバーは、
前記四囲部の一部を形成する溝部を備える第１のカバー部材と、
前記第１のカバー部材にスライドして係合し、前記溝部の開口を閉じて前記四囲部を形成させるスライド部と、前記装置本体に係止するフック部と、を備える第２のカバー部材と、を有する、ことを特徴とする請求項１または２に記載の画像形成装置。
【請求項５】
前記配線カバーは、前記第１のカバー部材に対する前記第２のカバー部材のスライドを規制する第１の位置と、前記第１のカバー部材に対する前記第２のカバー部材のスライドの規制を解除する第２の位置と、の間を移動自在なストッパーを有する、ことを特徴とする請求項４に記載の画像形成装置。
【請求項６】
前記原稿給送装置は、距離をおいて対となって設けられたヒンジユニットによって開閉自在とされており、
前記配線カバーは、前記ヒンジユニットの間に配置され、前記装置本体の原稿載置面に対し略垂直に立設する平面部を有する、ことを特徴とする請求項１〜５のいずれか一項に記載の画像形成装置。
【発明の詳細な説明】
【技術分野】
【０００１】
本発明は、画像形成装置に関するものである。
【背景技術】
【０００２】
画像形成装置には、装置本体の内部に原稿読取部を備えて、装置本体の原稿載置面に対して原稿給送装置が開閉自在に取り付けられるものがある。装置本体の原稿載置面には、コンタクトガラスが嵌め込まれており、原稿読取部は、コンタクトガラスを介して原稿を光学的に読み取るようになっている。原稿給送装置は、原稿載置面を閉じた状態で、コンタクトガラスに対して原稿を給紙するようになっている。
【０００３】
原稿給送装置は、原稿をコンタクトガラス上に給紙するための駆動系を有している。この駆動系に電力を供給する電源は、通常、装置本体に設けられており、装置本体から原稿給送装置に向けて電力供給用の配線コードが延設されている。
特許文献１には、装置本体と原稿給送装置との間に介設された配線コードが外部に露出することの見苦しさを解消し、配線コードとその周りの人を含めた環境との干渉を回避するべく、配線コードを外装部材によって覆った画像形成装置が開示されている（特許文献１の図３参照）。
【先行技術文献】
【特許文献】
【０００４】
【特許文献１】特開２００５−３００７９６号公報
【発明の概要】
【発明が解決しようとする課題】
【０００５】
ところで、配線コードの配線経路としては、原稿給送装置の外装に設けられた開口部から外側に出て、装置本体の背後に設けたコネクタ部に差し込まれるものが一般的である。  
上記従来技術の外装部材は、このような配線経路で配線コードを配線した後に、その背後から被さるようにして装着されるものである。したがって、従来技術では、組み立て時に注意しないと、外装部材で配線コードを挟み込んでしまう場合がある。
【０００６】
本発明は、上記問題点に鑑みてなされたものであり、組み立て時の配線コードの挟み込みを防止することのできる画像形成装置を提供することを目的とする。
【課題を解決するための手段】
【０００７】
上記の課題を解決するために、本発明は、内部に原稿読取部を備えた装置本体と、前記装置本体の原稿載置面に対して開閉自在に設けられた原稿給送装置と、前記装置本体と前記原稿給送装置とを電気的に接続する配線コードと、を有する画像形成装置であって、前記配線コードの周りを囲う四囲部を備え、前記配線コードと共に前記装置本体に対して着脱自在に装着される配線カバーを有する、という構成を採用する。
この構成を採用することによって、本発明では、配線カバーの四囲部に配線コードを通して仮保持させ、そのままの状態で装置本体に装着できるため、配線コードの挟み込みに注意することなく組み立てを行うことができる。
【０００８】
また、本発明では、前記原稿給送装置は、原稿の一方の面を読み取る第２の原稿読取部を有しており、前記配線コードは、前記第２の原稿読取部で読み取った画像信号を伝送する第１の配線コードと、それ以外の第２の配線コードと、を含み、前記配線カバーは、前記四囲部において前記第１の配線コードと前記第２配線コードとを分離するリブを有する、という構成を採用する。
この構成を採用することによって、本発明では、原稿給送装置側にも原稿読取部を設けて原稿の両面読取を行う場合、原稿給送装置側で読み取った画像信号を装置本体に伝送する配線コード（第１の配線コード）が必要となる。第１の配線コードと、その他の駆動系の電源コード等（第２の配線コード）とを並走させると、画像信号へのノイズの影響が懸念されるため、本発明では、四囲部にリブを設けて第１の配線コードと第２の配線コードとを区切ることによって、安定した画像信号の伝送が可能となる。
【０００９】
また、本発明では、前記配線カバーは、前記四囲部と、前記装置本体にスライドして係合するスライド部と、を備える第１のカバー部材と、前記第１のカバー部材に係合し、その背後に対して開閉自在とさせる係合軸部と、前記装置本体に対し締結部材で固定される固定部と、を備える第２のカバー部材と、を有する、という構成を採用する。
この構成を採用することによって、本発明では、配線コードを仮保持した第１のカバー部材をスライド部によって装置本体に仮固定することで、余分な配線コードを押し込む等の作業が可能となる。また、係合軸部によって、仮固定した第１のカバー部材の背後に対して開閉自在に第２のカバー部材を取り付け、この第２のカバー部材の一箇所を締結部材によって装置本体に固定することにより、第１のカバー部材の背後を覆った状態で第１のカバー部材も固定されるため、組み立て作業時間が削減できる。
【００１０】
また、本発明では、前記配線カバーは、前記四囲部の一部を形成する溝部を備える第１のカバー部材と、前記第１のカバー部材にスライドして係合し、前記溝部の開口を閉じて前記四囲部を形成させるスライド部と、前記装置本体に係止するフック部と、を備える第２のカバー部材と、を有する、という構成を採用する。
この構成を採用することによって、本発明では、第１のカバー部材の溝部に沿って配線コードを這わせた後、第１のカバー部材に第２のカバー部材をスライドして組み合わせ、溝部の開口を閉じて配線コードの周りを囲う四囲部を形成するため、配線コードの挟み込むことなく配線コードを配線カバーに仮保持させることができる。また、第２のカバー部材には、フック部が設けられており、このフック部を装置本体に係止することにより、第１のカバー部材も固定することができる。
【００１１】
また、本発明では、前記配線カバーは、前記第１のカバー部材に対する前記第２のカバー部材のスライドを規制する第１の位置と、前記第１のカバー部材に対する前記第２のカバー部材のスライドの規制を解除する第２の位置と、の間を移動自在なストッパーを有する、という構成を採用する。
この構成を採用することによって、本発明では、ストッパーを設けて、第１のカバー部材と第２のカバー部材とのスライドを規制／規制解除可能とすることで、配線カバーを一度組み立てた後に分解し、配線し直して再度組み立てることが可能となる。
【００１２】
また、本発明では、前記原稿給送装置は、距離をおいて対となって設けられたヒンジユニットによって開閉自在とされており、前記配線カバーは、前記ヒンジユニットの間に配置され、前記装置本体の原稿載置面に対し略垂直に立設する平面部を有する、という構成を採用する。
この構成を採用することによって、本発明では、原稿給送装置を開けると空気圧の影響で原稿が奥に引き込まれてヒンジユニットの間から落下してしまう場合があるが、ヒンジユニットの間に配線カバーを配置することにより原稿落下を防止することができる。また、配線カバーの原稿接触面が平面部となっているため、原稿が接触したときのダメージを軽減することができる。
【発明の効果】
【００１３】
本発明によれば、組み立て時の配線コードの挟み込みを防止することのできる画像形成装置が得られる。
【図面の簡単な説明】
【００１４】
【図１】本発明の第１実施形態における複写機の要部構成を示す概略図である。
【図２】本発明の第１実施形態における複写機の背面側外観を示す斜視図である。
【図３】本発明の第１実施形態における複写機の配線カバーの装着部分における断面図である。
【図４】本発明の第１実施形態における装置本体に装着した配線カバーの正面側外観を示す斜視図である。
【図５】本発明の第１実施形態における配線カバーの構成を示す分解斜視図である。
【図６】本発明の第１実施形態における第１のカバー部材の構成を示す斜視図である。
【図７】本発明の第１実施形態における第２のカバー部材の構成を示す斜視図である。
【図８】本発明の第１実施形態における複写機の配線カバーの装着部分における拡大斜視図である。
【図９】本発明の第１実施形態における配線カバーの機能の一つを説明するための図である。
【図１０】本発明の第２実施形態における複写機の背面側外観を示す斜視図である。
【図１１】本発明の第２実施形態における装置本体に装着した配線カバーの正面側外観を示す斜視図である。
【図１２】本発明の第２実施形態における配線カバーの構成を示す分解斜視図である。
【図１３】本発明の第２実施形態における第１のカバー部材の構成を示す斜視図である。
【図１４】本発明の第２実施形態における第１のカバー部材の構成を示す斜視図である。
【図１５】本発明の第２実施形態における第２のカバー部材の構成を示す斜視図である。
【図１６】本発明の別実施形態における複写機の背面側外観を示す斜視図である。
【発明を実施するための形態】
【００１５】
以下、図面を参照しながら、本発明の一実施形態について説明する。なお、以下では、本発明に係る画像形成装置として、原稿読取機能を備える複写機を例示して説明する。
【００１６】
（第１実施形態）
図１は、本発明の第１実施形態における複写機１の要部構成を示す概略図である。
複写機１は、装置本体２と、装置本体２の原稿載置面３に対して開閉自在に設けられた原稿給送装置４０と、を有している。装置本体２は、その内部に、印刷部１０と第１の原稿読取部（原稿読取部）２０とを有し、その外部に、操作部３０を有している。
【００１７】
印刷部１０は、印刷用紙に画像を印刷して印刷物として出力するものであり、給紙部１１、トナー画像形成部１２、定着部１３及び排紙トレイ１４等を備えている。給紙部１１は、定型の印刷用紙を複数枚（例えば、数十〜数百枚程度）収容可能であると共に、複写機１の正面から引出し可能な給紙カセット１１ａを備えている。給紙カセット１１ａの各々に収容された印刷用紙のうちの最上位の印刷用紙は、ピックアップローラー１１ｂの駆動によって繰り出されてトナー画像形成部１２へ搬送される。
【００１８】
トナー画像形成部１２は、印刷すべき画像に応じたトナー画像を印刷用紙に形成するものであり、感光体ドラム１２ａ、露光部１２ｂ、現像部１２ｃ及び転写部１２ｄ等を備えている。感光体ドラム１２ａは、印刷すべき画像に応じた静電潜像が形成されると共に、現像されたトナー画像を担持する円筒形の感光体である。露光部１２ｂは、感光体ドラム１２ａの表面に静電潜像を形成するためのレーザー光を感光体ドラム１２ａに照射する。
現像部１２ｃは、静電潜像が形成された感光体ドラム１２ａにトナーを供給することにより、静電潜像を現像してトナー画像にする。転写部１２ｄは、感光体ドラム１２ａに担持されているトナー画像を、給紙部１１から搬送されてきた印刷用紙に転写する。
【００１９】
定着部１３は、トナー画像形成部１２によって印刷用紙に転写（形成）されたトナー画像を加熱及び加圧して印刷用紙に定着させた後、当該定着処理後の印刷用紙を所望の画像が印刷された印刷物として排紙トレイ１４へ排出（出力）する。排紙トレイ１４は、定着部１３から出力される印刷物を溜め置きするための部位であり、印刷部１０の上部に設けられている。
【００２０】
第１の原稿読取部２０は、原稿載置面３にセットされた原稿を読み取り、その原稿の画像を示す原稿画像データを取得するものである。第１の原稿読取部２０は、ＣＣＤ（Charge Coupled Device）センサー２１、キャリッジ２２、原稿台２３等を備えている。キャリッジ２２は、ＣＣＤセンサー２１を搭載しており、原稿載置面３にセットされた原稿、或いは原稿給送装置４０によって順次給紙される原稿等を読み取る。原稿台２３は、コンタクトガラス２４と、スリットコンタクトガラス２５とを備えている。
【００２１】
具体的に、コンタクトガラス２４にセットされた原稿を読み取る場合には、キャリッジ２２は、原稿台２３の長手方向に移動しながらＣＣＤセンサー２１により原稿を読み取る。これに対し、原稿給送装置４０から給紙される原稿を読み取る場合には、キャリッジ２２は、スリットコンタクトガラス２５に対向する位置（スリットコンタクトガラス２５の下方の位置）において、原稿給送装置４０から順次給紙される原稿を、スリットコンタクトガラス２５を介してＣＣＤセンサー２１により読み取る。
【００２２】
操作部３０は、ユーザーによる操作に応じた信号（操作信号）を出力すると共に、複写機１の状態を示す情報等の各種情報を表示するものであり、操作キー３１及び操作表示部３２を備えている。操作キー３１は、コピースタートキー、コピーストップ／クリアキー、テンキー（数値入力キー）及び機能切替キー等のハードキーである。
【００２３】
操作表示部３２は、所定の画像を表示する表示部と、この表示部の表示画面上で為された操作に応じた操作信号を出力する操作部とを備えている。なお、表示部は、例えば液晶パネル或いは有機ＥＬパネルである。また、操作部は、例えば表示部の表示画面に対向配置されたタッチパネルであり、上記操作信号としてユーザーに押下された部位の座標を示す信号を出力する。
【００２４】
原稿給送装置４０は、読み取りを行うべき原稿を順次自動給紙する装置である。原稿給送装置４０は、給紙トレイ４１と、原稿搬送路４２と、第２の原稿読取部４３と、排紙トレイ４４と、を有している。給紙トレイ４１は、原稿を複数枚収容可能とされている。給紙トレイ４１に収容された原稿のうちの最上位の原稿は、ピックアップローラー４２ａの駆動によって繰り出されて原稿搬送路４２に導入される。
【００２５】
原稿搬送路４２は、スリットコンタクトガラス２５を経由して排紙トレイ４４に繋がっている。ピックアップローラー４２ａによって原稿搬送路４２に導入された原稿は、搬送ローラー４２ｂによってスリットコンタクトガラス２５に搬送され、その後、排紙ローラー４２ｃによって排紙トレイ４４に排紙される。
【００２６】
第２の原稿読取部４３は、原稿の一方の面（第１の原稿読取部２０とは逆側の面）を読み取り、その原稿の画像を示す原稿画像データを取得するものである。第２の原稿読取部４３は、原稿搬送路４２に向けて配置されたＣＣＤセンサーである。このように、本実施形態の複写機１は、２つの原稿読取部を備え、原稿の両面スキャンが可能な構成となっている。
上記構成の原稿給送装置４０は、後述する配線コードＣを介して、装置本体２と電気的に接続されている。
【００２７】
以下、図２〜図９を参照して、装置本体２と原稿給送装置４０との間に介設された配線コードＣの配線カバー５０の構造について説明する。
図２は、本発明の第１実施形態における複写機１の背面側外観を示す斜視図である。図３は、本発明の第１実施形態における複写機１の配線カバー５０の装着部分における断面図である。図４は、本発明の第１実施形態における装置本体２に装着した配線カバー５０の正面側外観を示す斜視図である。図５は、本発明の第１実施形態における配線カバー５０の構成を示す分解斜視図である。図６は、本発明の第１実施形態における第１のカバー部材５１の構成を示す斜視図である。図７は、本発明の第１実施形態における第２のカバー部材５２の構成を示す斜視図である。図８は、本発明の第１実施形態における複写機１の配線カバー５０の装着部分における拡大斜視図である。図９は、本発明の第１実施形態における配線カバー５０の機能の一つを説明するための図である。
【００２８】
図２に示すように、複写機１の背面側には、ヒンジユニット４５が設けられている。ヒンジユニット４５は、装置本体２と原稿給送装置４０とを開閉自在に接続するものである。原稿給送装置４０は、距離をおいて対となって設けられたヒンジユニット４５によって原稿載置面３に対して開閉自在とされている。詳しくは、原稿給送装置４０は、ヒンジユニット４５の軸部を支点とする装置本体２の幅方向に延びる軸線周りに回動自在な構成となっている。
【００２９】
配線カバー５０は、ヒンジユニット４５の間に配置されている。配線カバー５０は、装置本体２の原稿載置面３によりも上方に突出するようにして、装置本体２の背面側に装着されている。原稿給送装置４０は、背面側に開口部４６を有している。開口部４６は、原稿給送装置４０と配線カバー５０との干渉を回避するものである。配線カバー５０は、原稿給送装置４０が開かれた状態で開口部４６に相対的に嵌り込むと共に、原稿給送装置４０が閉じられた状態で開口部４６を覆うようになっている。
【００３０】
図３に示すように、配線カバー５０は、配線コードＣの周りを囲う四囲部５３を有する。四囲部５３は、配線コードＣの側部の四方向を囲うものである。四囲部５３は、配線コードＣの導線部分よりも大きく開口し、配線コードＣをその延在方向に相対移動自在に仮保持するようになっている。なお、本実施形態の配線コードＣの先端には、装置本体２と接続するためのコネクタ（図示せず）が設けられており、四囲部５３は、このコネクタ部分よりも大きく開口し、配線コードＣを通すことができるようになっている。
【００３１】
配線カバー５０は、装置本体２に対して着脱自在に装着されるようになっている（図３における２点鎖線参照）。本実施形態の配線カバー５０は、装置本体２の背面側において奥行方向に着脱自在とされている。装置本体２は、背面側に開口部４を有している。開口部４は、配線カバー５０を装着するために形成され、配線カバー５０によって覆われるものである。配線カバー５０は、装置本体２の開口部４と、原稿給送装置４０の開口部４６との間に介設され、配線コードＣが開口部４及び開口部４６を通過するように、配線コードＣをガイドする形状を有している。
【００３２】
図４に示すように、配線カバー５０は、装置本体２の原稿載置面３に対し略垂直に立設する平面部５４を有する。平面部５４は、装置本体２の手前側を向く部分である。また、配線カバー５０は、装置本体２の原稿載置面３に対し斜めに立ち上がる斜面部５５を有する。斜面部５５は、配線カバー５０の装置本体２の手前側を向く部分であり、原稿載置面３と平面部５４との間に設けられる。
【００３３】
図５に示すように、配線カバー５０は、樹脂部材で形成された、第１のカバー部材５１と、第２のカバー部材５２と、を組み合わせて構成されている。第１のカバー部材５１は、四囲部５３と、装置本体２にスライドして係合するスライド部５６と、を備えている。第２のカバー部材５２は、第１のカバー部材５１に係合し、その背後に対して開閉自在とさせる係合軸部５７と、装置本体２に対し締結部材５９で固定される固定部５８と、を備えている。
【００３４】
装置本体２の開口部４は、その装置上面と装置背面とに跨って形成されている。装置本体２の開口部４の装置上面部分には、スライド部５６と係合するリブ５が設けられている。リブ５は、開口部４の内側面に設けられ、装置本体２の奥行方向に延在している。また、装置本体２の開口部４の装置背面部分には、締結部材５９が螺合する孔部６が設けられている。孔部６は、開口部４の底辺部に設けられている。
【００３５】
第１のカバー部材５１のスライド部５６は、リブ５に沿ってスライドするための溝形状を有している。図６（ａ）及び図６（ｂ）に示すように、スライド部５６は、原稿載置面３と略面一に取り付けられる板部５６ａと、板部５６ａの裏側に設けられたガイド片５６ｂと、によって形成されている。板部５６ａとガイド片５６ｂとの距離は、リブ５の厚みに対応して設定されている。このように、第１のカバー部材５１は、板部５６ａとガイド片５６ｂとの間にリブ５を挟み込みつつスライドし、装置本体２に係合する構成となっている。
【００３６】
第１のカバー部材５１は、第２のカバー部材５２の係合軸部５７を受ける軸受溝６０を有している。軸受溝６０は、第１のカバー部材５１の上部であって、四囲部５３の両側部に設けられている。図７（ａ）に示すように、第２のカバー部材５２は、軸受溝６０に係合する係合軸部５７を有する。第２のカバー部材５２は、第１のカバー部材５１の背後を覆うものであり、その上部の側面に円筒形状の係合軸部５７を有している。軸受溝６０に係合軸部５７が係合することで、第２のカバー部材５２は、係合軸部５７を支点とする第１のカバー部材５１の幅方向に延びる軸線周りに回動自在となる。
【００３７】
図７（ｂ）に示すように、第２のカバー部材５２は、その下部に固定部５８を有している。固定部５８は、締結部材５９のネジ部が挿通可能な孔形状を有している。固定部５８は、第２のカバー部材５２が第１のカバー部材５１の背後を覆った状態で、図５に示す孔部６と連通するような配置となっている。すなわち、第１のカバー部材５１がスライド部５６によって装置本体２に仮固定された状態で、第２のカバー部材５２を装置本体２に締結部材５９で固定すると、第１のカバー部材５１を一緒に抑えることができるようになっている。
【００３８】
図８に示すように、配線コードＣは、第２の原稿読取部４３で読み取った画像信号を伝送する第１の配線コードＣ１と、それ以外の第２の配線コードＣ２と、を含んで構成されている。第２の配線コードＣ２は、原稿給送装置４０の駆動系の電源コードを含む。配線カバー５０は、四囲部５３において第１の配線コードＣ１と第２の配線コードＣ２とを分離するリブ６１を有する。四囲部５３は、リブ６１によって２分され、一方の開口に第１の配線コードＣ１がガイドされ、もう一方の開口に第２の配線コードＣ２がガイドされる。
【００３９】
続いて、本実施形態における、装置本体２と原稿給送装置４０との間に介設された配線コードＣの配線カバー５０の作用について説明する。
【００４０】
本実施形態においては、配線カバー５０が、図３に示すように、配線コードＣの周りを囲う四囲部５３を備え、配線コードＣと共に装置本体２に対して着脱自在に装着される。この構成によれば、配線カバー５０の四囲部５３に配線コードＣを通して仮保持させ、そのままの状態で装置本体２に装着できるため、配線コードＣの挟み込みに注意することなく組み立てを行うことができる。
【００４１】
具体的に、配線カバー５０は、図５に示すように、四囲部５３と、装置本体２にスライドして係合するスライド部５６と、を備える第１のカバー部材５１と、第１のカバー部材５１に係合し、その背後に対して開閉自在とさせる係合軸部５７と、装置本体２に対し締結部材５９で固定される固定部５８と、を備える第２のカバー部材５２と、を有する。この構成による組み立て作業では、先ず、四囲部５３に配線コードＣを通して、第１のカバー部材５１に配線コードＣを仮保持させる。
【００４２】
次に、配線コードＣを仮保持した第１のカバー部材５１をスライド部５６によって装置本体２に仮固定する。この状態で、余分な配線コードＣを開口部４等に押し込む等の作業を行う（図８参照）。次に、仮固定した第１のカバー部材５１の軸受溝６０に、第２のカバー部材５２の係合軸部５７を係合させる。そして、係合軸部５７を支点として第２のカバー部材５２を回動させて、第１のカバー部材５１に覆い被さるようにしてその背後を閉塞させる。これにより、配線コードＣが外部に露出することがなくなる。
【００４３】
最後に、第２のカバー部材５２の固定部５８に締結部材５９を通し、装置本体２の孔部６に螺合させることにより、第１のカバー部材５１の背後を覆った状態で第２のカバー部材５２を固定する。第２のカバー部材５２は、第１のカバー部材５１の背後を覆った状態で固定されるため、一箇所だけ締結固定するだけで第１のカバー部材５１も固定され、組み立て作業時間が削減できる。
【００４４】
本実施形態では、図１に示すように、装置本体２に第１の原稿読取部２０を設け、原稿給送装置４０にも第２の原稿読取部４３を設けて原稿の両面スキャンを行う構成となっている。この場合、原稿給送装置４０側で読み取った画像信号を装置本体２に伝送する配線コードＣ（第１の配線コードＣ１）が必要となる。第１の配線コードＣ１と、その他の駆動系の電源コード等（第２の配線コードＣ２）とを並走させると、画像信号へのノイズの影響が懸念される。このため、本実施形態では、図８に示すように、四囲部５３にリブ６１を設けて第１の配線コードＣ１と第２の配線コードＣ２とを区切ることによって、安定した画像信号の伝送を可能とさせている。
【００４５】
また、本実施形態では、図２に示すように、原稿給送装置４０が、距離をおいて対となって設けられたヒンジユニット４５によって開閉自在とされており、配線カバー５０は、ヒンジユニット４５の間に配置され、図４に示すように、装置本体２の原稿載置面３に対し略垂直に立設する平面部５４を有する。図９に示すように、原稿載置面３に原稿（図９において符号Ｐで示す）を載置した状態で原稿給送装置４０を開けると、原稿が原稿給送装置４０に吸着して浮き上がることがある。この場合、原稿が、装置本体２と原稿給送装置４０の隙間から装置本体２の背面側に引き込まれる場合があるが、ヒンジユニット４５の間に配線カバー５０を配置することにより原稿落下を防止することができる。また、配線カバー５０の原稿接触面が平面部５４となっているため、原稿の端を点ではなく面で受けることができ、原稿が接触したときのダメージを軽減することができる。
【００４６】
このように、上述した実施形態によれば、内部に第１の原稿読取部２０を備えた装置本体２と、装置本体２の原稿載置面３に対して開閉自在に設けられた原稿給送装置４０と、装置本体２と原稿給送装置４０とを電気的に接続する配線コードＣと、を有する複写機１であって、配線コードＣの周りを囲う四囲部５３を備え、配線コードＣと共に装置本体２に対して着脱自在に装着される配線カバー５０を有する、という構成を採用することによって、配線カバー５０の四囲部５３に配線コードＣを通して仮保持させ、そのままの状態で装置本体２に装着できるため、配線コードＣの挟み込みに注意することなく組み立てを行うことができる。
【００４７】
（第２実施形態）
次に、本発明の第２実施形態について説明する。以下の説明において、上述の実施形態と同一又は同等の構成部分については同一の符号を付し、その説明を簡略若しくは省略する。
【００４８】
図１０は、本発明の第２実施形態における複写機１の背面側外観を示す斜視図である。図１１は、本発明の第２実施形態における装置本体２に装着した配線カバー７０の正面側外観を示す斜視図である。図１２は、本発明の第２実施形態における配線カバー７０の構成を示す分解斜視図である。図１３及び図１４は、本発明の第２実施形態における第１のカバー部材７１の構成を示す斜視図である。図１５は、本発明の第２実施形態における第２のカバー部材７２の構成を示す斜視図である。
【００４９】
図１０に示すように、配線カバー７０は、ヒンジユニット４５の間に配置されている。配線カバー７０は、装置本体２の原稿載置面３によりも上方に突出するようにして、装置本体２の背面側に装着されている。
図１１に示すように、配線カバー７０は、配線コードＣ（図示せず）の周りを囲う四囲部７３を有する。配線カバー７０は、四囲部７３において第１の配線コードＣ１（図示せず）と第２の配線コードＣ２（図示せず）とを分離するリブ８１を有する。また、配線カバー７０は、装置本体２の原稿載置面３に対し略垂直に立設する平面部７４を有する。
【００５０】
図１２に示すように、配線カバー７０は、樹脂部材で形成された、第１のカバー部材７１と、第２のカバー部材７２と、を組み合わせて構成されている。第１のカバー部材７１は、四囲部７３の一部を形成する溝部７５を備えている。第２のカバー部材７２は、第１のカバー部材７１にスライドして係合し、溝部７５の開口を閉じて四囲部７３を形成させるスライド部７６（図１５参照）と、装置本体２に係止するフック部７７と、を備えている。
【００５１】
図１２に示すように、装置本体２には、その装置上面に開口部８が形成されている。開口部８は、矩形に開口している。この開口部８の内側面には、配線カバー７０を支持するためのリブ９が設けられている。
図１５（ａ）及び図１５（ｂ）に示すように、第２のカバー部材７２は、リブ９上に立設する脚部７８を有している。第２のカバー部材７２には、脚部７８よりも下方に延在するフック部７７が設けられている。フック部７７は、開口部８の裏側の縁に係止する構成となっている。
【００５２】
第２のカバー部材７２のスライド部７６は、リブ形状を有している。スライド部７６は、第１のカバー部材７１の背後を覆う第２のカバー部材７２の内向き側面にそれぞれ設けられている。このスライド部７６の一方には、後述するストッパー７９が嵌り込む凹部７６ａが設けられている。
図１３（ａ）及び図１３（ｂ）に示すように、第１のカバー部材７１は、スライド部７６がスライドするための板部７４ａ及びガイド片７４ｂを有している。板部７４ａの表面側は、平面部７４を形成している。ガイド片７４ｂは、板部７４ａの裏側に設けられている。
【００５３】
板部７４ａとガイド片７４ｂとの距離は、スライド部７６の厚みに対応して設定されている。このように、第２のカバー部材７２は、板部７４ａとガイド片７４ｂとの間にスライド部７６を挟み込みつつスライドし、第１のカバー部材７１に係合する構成となっている。
図１４（ａ）〜図１４（ｃ）に示すように、第１のカバー部材７１には、ストッパー７９が設けられている。ストッパー７９は、第１のカバー部材７１に対する第２のカバー部材７２のスライドを規制する第１の位置と、第１のカバー部材７１に対する第２のカバー部材７２のスライドの規制を解除する第２の位置と、の間を移動自在とされている。
【００５４】
第１の位置とは、ストッパー７９が、スライド部７６の凹部７６ａに嵌り込む位置である。また、第２の位置とは、ストッパー７９が、スライド部７６の凹部７６ａから離脱する位置である。本実施形態の第１のカバー部材７１は、樹脂材料から形成されており、そのバネ性により、ストッパー７９が移動自在とされている。ストッパー７９は、常態で第１の位置に位置し、材料の復元力に抗して反らすことで第２の位置に位置できるようになっている。
【００５５】
続いて、第２実施形態における、装置本体２と原稿給送装置４０との間に介設された配線コードＣの配線カバー７０の作用について説明する。
【００５６】
配線カバー７０は、図１２に示すように、四囲部７３の一部を形成する溝部７５を備える第１のカバー部材７１と、第１のカバー部材７１にスライドして係合し、溝部７５の開口を閉じて四囲部７３を形成させるスライド部７６（図１５参照）と、装置本体２に係止するフック部７７と、を備える第２のカバー部材７２と、を有する。この構成による組み立て作業では、先ず、第１のカバー部材７１の溝部７５に沿って配線コードＣを這わせる。
【００５７】
次に、配線コードＣを這わせた第１のカバー部材７１に蓋をするように、第２のカバー部材７２をスライド部７６によってスライドさせて、両者を組み合わせる。これにより、溝部７５の開口を閉じて配線コードＣの周りを囲う四囲部７３を形成することができる（図１１参照）。第１のカバー部材７１と第２のカバー部材７２は、図１２に示すように、溝部７５に沿って組み合わされるため、配線コードＣの挟み込むことなく配線コードＣを配線カバー７０に仮保持させることができる。
【００５８】
ここで、配線カバー７０が、第１のカバー部材７１に対する第２のカバー部材７２のスライドを規制する第１の位置と、第１のカバー部材７１に対する第２のカバー部材７２のスライドの規制を解除する第２の位置と、の間を移動自在なストッパー７９を有する。このように、ストッパー７９を設けて、第１のカバー部材７１と第２のカバー部材７２とのスライドを規制／規制解除可能とすることで、配線カバー７０を一度組み立てた後に分解し、配線し直して再度組み立てることも可能となる。
【００５９】
最後に、配線カバー７０を装置本体２の開口部８に差し込み、第２のカバー部材７２に設けられたフック部７７によって、開口部８の裏側に係止させる。第１のカバー部材７１は、第２のカバー部材７２と共に、一体的に装置本体２に固定されるため、組み立て作業時間が削減できる。
また、第２実施形態によれば、上記実施形態と同様に、配線カバー７０の四囲部７３に配線コードＣを通して仮保持させ、そのままの状態で装置本体２に装着できるため、配線コードＣの挟み込みに注意することなく組み立てを行うことができる。
【００６０】
以上、図面を参照しながら本発明の好適な実施形態について説明したが、本発明は上記実施形態に限定されるものではない。上述した実施形態において示した各構成部材の諸形状や組み合わせ等は一例であって、本発明の主旨から逸脱しない範囲において設計要求等に基づき種々変更可能である。
【００６１】
例えば、図１６に示すように、装置本体２に原稿給送装置４０を取り付けずに、プラテンカバー９０を取り付けるときには、装置本体２の開口部４に第３のカバー部材９１を装着しても良い。原稿給送装置４０を取り付けないときは、第１実施形態で示す配線カバー５０のようにその一部が突出していると、プラテンカバー９０を取り付ける際に干渉して邪魔になる。このため、配線カバー５０を使用せずに、第３のカバー部材９１を装着することにより、開口部４を塞ぐことができる。
【００６２】
また、例えば、上記実施形態では、配線カバーが第１のカバー部材と第２のカバー部材とによって組み合わせられる構成について説明したが、本発明は、例えば、第１のカバー部材と第２のカバー部材が元から一体となっている構成であっても良い。
【００６３】
また、例えば、上記実施形態では、画像形成装置として、複写機を例示したが、本発明は、例えば、プリンター、ファクシミリ装置等の画像形成装置にも適用可能である。
【符号の説明】
【００６４】
１…複写機（画像形成装置）、２…装置本体、３…原稿載置面、２０…第１の原稿読取部（原稿読取部）、４０…原稿給送装置、４３…第２の原稿読取部、４５…ヒンジユニット、５０…配線カバー、５１…第１のカバー部材、５２…第２のカバー部材、５３…四囲部、５４…平面部、５６…スライド部、５７…係合軸部、５８…固定部、５９…締結部材、６１…リブ、７０…配線カバー、７１…第１のカバー部材、７２…第２のカバー部材、７３…四囲部、７４…平面部、７５…溝部、７６…スライド部、７７…フック部、７９…ストッパー、Ｃ…配線コード、Ｃ１…第１の配線コード、Ｃ２…第２の配線コード
【図１】
2014194485.tif 000003
【図２】
2014194485.tif 000004
【図３】
2014194485.tif 000005
【図４】
2014194485.tif 000006
【図５】
2014194485.tif 000007
【図６】
2014194485.tif 000008
【図７】
2014194485.tif 000009
【図８】
2014194485.tif 000010
【図９】
2014194485.tif 000011
【図１０】
2014194485.tif 000012
【図１１】
2014194485.tif 000013
【図１２】
2014194485.tif 000014
【図１３】
2014194485.tif 000015
【図１４】
2014194485.tif 000016
【図１５】
2014194485.tif 000017
【図１６】
2014194485.tif 000018